(57)【要約】【課題】  陳列された棚等から包装容器を手に取らなくても、そのままで食品についてのさまざまな知識を得ることができる包装容器を提供すること。【解決手段】  食品を包み込んだ容器本体１０に少なくとも製造又は販売業者、及び食品について情報を表示してある包装容器において、容器本体の前面側に食品の特定、食品からの出汁のとり方又は／及び食品の調理の仕方について、写真と説明文から成る表示部を有している。前面側の一部が透明になっており、前記透明部分から食品が視認できるようになっている。【選択図】  図１
2005231696.tif 000002
【特許請求の範囲】
【請求項１】
食品を包み込んだ容器本体に少なくとも製造又は販売業者、及び食品について情報を表示してある包装容器において、容器本体の前面側に食品の特定、食品からの出汁のとり方又は／及び食品の調理の仕方について、写真と説明文から成る表示部を有していることを特徴とする包装容器。
【請求項２】
前面側の一部が透明になっており、前記透明部分から食品が視認できるようになっていることを特徴とする請求項１記載の包装容器。
【請求項３】
包装容器は、袋状又は箱状であることを特徴とする請求項１又は２記載の包装容器。
【発明の詳細な説明】
【技術分野】
【０００１】
この発明は、食品の包装袋や包装箱等の包装容器に関するものである。
【背景技術】
【０００２】
この種の包装容器は、通常、前面に「製造者」、「商標名」、「商品の絵や写真」等が、後面に「商品の説明」、「名称・原材料・内容量・賞味期限・保存方法」、「栄養成分表示」等が、それぞれ表示されており、消費者は陳列棚等に陳列された前面側の「製造者」、「商標名」、「商品の絵や写真」を見て、必要なものや興味を引いたものを手に取って購入する。
【０００３】
他方、近年、子供のおやつについて親はその成分等を厳しく管理しており、大人だけでなく子供自身でも「成分」が判るようにした包装容器を提案されている（例えば、特許文献１。）。                                                                            
【０００４】
つまり、食品の販売において、包装容器に付される上記表示は、その売れ行きを大きく左右することから、製造・販売業者においては非常に重要である。
【０００５】
ところで、最近の若い主婦では、特定の食品の調理や出汁のとり方がわからず、たとえ包装容器の前面側の表示を見ても、食品の利用等の仕方がわからないことから、その食品の商品が陳列されていても敬遠して代替品で補うことが少なからずある。
【０００６】
したがって、近年、食品の製造・販売業者の間では、陳列された陳列棚等から包装容器を手に取らなくても、そのままで食品についてのさまざまな知識を得ることができ、これにより消費者の購買意欲を増加せしめる包装容器が開発されることを待ち望んでいる。
【特許文献１】実用新案登録第３０８２０４６号
【発明の開示】
【発明が解決しようとする課題】
【０００７】
そこで、この発明では、陳列された棚等から包装容器を手に取らなくても、そのままで食品についてのさまざまな知識を得ることができる包装容器を提供することを課題とする。
【課題を解決するための手段】
【０００８】
（請求項１記載の発明）
この発明の包装容器は、食品を包み込んだ容器本体に少なくとも製造又は販売業者、及び食品について情報を表示してある包装容器において、容器本体の前面側に食品の特定、食品からの出汁のとり方又は／及び食品の調理の仕方について、写真と説明文から成る表示部を有している。
【０００９】
（請求項２記載の発明）
この発明の包装容器は、請求項１記載の発明に関し、前面側の一部が透明になっており、前記透明部分から食品が視認できるようになっている。
【００１０】
（請求項３記載の発明）
この発明の包装容器は、請求項１又は２記載の発明に関し、包装容器は、袋状又は箱状である。
【発明の効果】
【００１１】
この発明の包装容器は、陳列された棚等から包装容器を手に取らなくても、そのままで食品についてのさまざまな知識を得ることができる。
【発明を実施するための最良の形態】
【００１２】
以下に、この発明の包装容器１を実施するための最良の形態としての実施例について詳細に説明する。
【実施例１】
【００１３】
図１はこの発明の実施例１の包装容器１の前面を示す平面図、図２は前記包装容器１の後面を示す平面図、図３は前記包装容器１を前面側を手前にして陳列棚等に陳列した状態を示す斜視図を示している。
（この包装容器１の構成について）
この包装容器１は、図１に示すように、真空パック又は窒素ガスを充填した袋状のものであり、その内部には乾燥させた昆布が収容してある。
【００１４】
この包装容器１は、図１に示すように、容器本体１０の前面側に「製造者名」２０、「これなら使える」とのキャッチフレーズ２１、「商標名」２２、「昆布でだしをとる手順」２３等が印刷形成されており、また前面側の「昆布でだしをとる手順」２３の下側を透明部２４とすることにより内部の昆布の一部が視認できるようになっている。
【００１５】
ここで、上記「昆布でだしをとる手順」２３については、その手順を写真と説明文による表示がなされており、詳細には、１．昆布を拭く、２．１０分間中に火にかける、３．昆布を取り出す、４．かつお節を加える、５．こしてできあがり、等と記載されていると共に、その状態を示す写真が表示されている。
【００１６】
また、上記容器本体１０の後面には、図２に示すように、「昆布でだしをとる手順」２３と同じ内容の「昆布でだしをとる手順」３０、「だしをとった後の昆布の食し方」３１、「昆布の保管方法等」３２、「名称・原材料・内容量・賞味期限・保存方法」３３、栄養成分表示３４等が印刷されている。
【００１７】
なお、この包装容器は図１や図２に示すように、その左右辺に開封用の切欠部４，４を形成してある。
【００１８】
（この包装容器１の優れた機能について）
この包装容器１は図３の如き陳列棚Ｔに陳列された状態において、容器本体１０の前面側に「製造者名」２０、「これなら使える」とのキャッチフレーズ２１、「商標名」２２、「昆布でだしをとる手順」２３等の全てが視認できることになる。
【００１９】
したがって、昆布の出汁のとり方がわからない者でも、「昆布でだしをとる手順」や「これなら使える」とのキャッチフレーズ２１により安心して購入する気になる。
【００２０】
このように陳列された陳列棚Ｔ等から包装容器１を手に取らなくても、そのままで食品についてのさまざまな知識 (情報）を得ることができる。なお、陳列棚Ｔからこの包装容器１を手にとり、さらに後面の「だしをとった後の昆布の食し方」３１を見ることにより、昆布の調理方法を知ることができる。
（他の実施の形態）
上記実施例１では、包装容器１を袋状のものとしたが、これに限定されることなく箱状のものでもよい。
【００２１】
また、上記実施例１では、食品を昆布としているが、他の食品についても同様のことが言える。この場合、その食品に合わせて調理方法等を表示するとよい。
【図面の簡単な説明】
【００２２】
【図１】この発明の実施例の包装容器の前面を示す平面図。
【図２】前記包装容器の後面を示す平面図。
【図３】前記包装容器を前面側を手前にして陳列棚等に陳列した状態を示す斜視図。
【符号の説明】
【００２３】
１    包装容器
１０  容器本体
【図１】
2005231696.tif 000003
【図２】
2005231696.tif 000004
【図３】
2005231696.tif 000005